(57)【特許請求の範囲】
【請求項１】
ハンドルを備えたホルダーに、内歯車が設けられた駆動歯車部材の中心に突設された駆動軸を回転自由に設けると共に当該駆動軸の先端部にホイールを固定し、表裏両側に爪歯車が設けられた爪車を該駆動軸の基部に回転可能に設け、その爪車に固定されたケースに、糸の一端を固定可能な係止片を先端部に設けると共に基部に小歯車を備えた複数の糸保持軸を回転自由に支持させると共に各小歯車を前記内歯車に噛合するように設け、前記ホルダーに取り付けた爪が前記表側の爪歯車に係合することにより当該爪車の一方向への回転を阻止すると共に前記駆動歯車部材の一方向の回転を許容するように設け、前記駆動歯車部材に取り付けた爪が前記裏側の爪歯車に係合することにより前記駆動歯車部材と爪車とを前記一方向と反対の方向へ一緒に回転するように設け、前記ホイールを前記一方向へ転動させることによって前記糸保持軸を自転させて１本の糸に夫々撚りをかけ、前記ホイールを前記一方向と反対方向へ転動させることによって前記糸保持軸を公転させて複数本の糸を１本の糸に寄り合わせるように構成したことを特徴とする手持ち式糸撚り器。
【請求項２】
前記糸保持軸の係止片は、軸部と一体に設けられていて、その軸部との間に形成される楔状の隙間に糸の一端を係止することにより当該糸を固定可能に設けられていることを特徴とする請求項１に記載の手持ち式糸撚り器。
【請求項３】
前記ホイールは、ホイール本体にゴム製タイヤが装着されていることを特徴とする請求項１又は２に記載の手持ち式糸撚り器。
【発明の詳細な説明】
【技術分野】
【０００１】
本発明は、複数本の糸を撚り合わせて１本の撚り糸をつくる手持ち式糸撚り器に関する。
【背景技術】
【０００２】
手芸等に使用される従来の糸撚り器は、糸撚り器本体をテーブルに固定した状態にて、ハンドルを回転操作して糸の一端が固定された複数の糸保持軸を自転、公転させることにより、複数本の糸を撚り合わせて１本の撚り糸をつくる構造とされている。
【０００３】
特開平１０−８３３３号公報には、複数個の糸駒がセットされた回転盤をモータの駆動により回転させながら、各糸駒から繰り出された糸を回転盤に設けられた糸通し穴に導いて１本の糸に撚り合わせる糸撚り機構と、撚り合わされた糸をコーンに順次巻き取っていく巻き取り機構とを備えた電動式糸撚り装置が開示されている。
【０００４】
前者の糸撚り器は、撚り糸をつくる機能自体に問題はないが、撚り糸をつくる過程に興味を惹起するような遊び的な要素を備えていないので、手芸に関して初級レベルの者にとって面白みに欠ける点を否めない。
【０００５】
後者の電動式糸撚り装置は、糸撚り作業と糸の小分け作業を選択にできる等の本格的な撚り糸をつくることができる複雑な構造とされており、趣味的に手芸をたしなむ者、初級レベルの者にとってはそこまでの高性能を必要としていないと言えよう。
【特許文献１】特開平１０−８３３３号公報
【発明の開示】
【発明が解決しようとする課題】
【０００６】
本発明の目的は、撚り糸をつくる過程に興味を惹起するような遊び的な要素を備えた簡便な手持ち式糸撚り器を提供することにある。
【課題を解決するための手段】
【０００７】
前記目的を達成するために請求項１に記載した発明は、ハンドルを備えたホルダーに、内歯車が設けられた駆動歯車部材の中心に突設された駆動軸を回転自由に設けると共に当該駆動軸の先端部にホイールを固定し、表裏両側に爪歯車が設けられた爪車を該駆動軸の基部に回転可能に設け、その爪車に固定されたケースに、糸の一端を固定可能な係止片を先端部に設けると共に基部に小歯車を備えた複数の糸保持軸を回転自由に支持させると共に各小歯車を前記内歯車に噛合するように設け、前記ホルダーに取り付けた爪が前記表側の爪歯車に係合することにより当該爪車の一方向への回転を阻止すると共に前記駆動歯車部材の一方向の回転を許容するように設け、前記駆動歯車部材に取り付けた爪が前記裏側の爪歯車に係合することにより前記駆動歯車部材と爪車とを前記一方向と反対の方向へ一緒に回転するように設け、前記ホイールを前記一方向へ転動させることによって前記糸保持軸を自転させて１本の糸に夫々撚りをかけ、前記ホイールを前記一方向と反対方向へ転動させることによって前記糸保持軸を公転させて複数本の糸を１本の糸に寄り合わせるように構成したことを特徴とする。
【０００８】
同様の目的を達成するために請求項２に記載した発明は、請求項１に記載の手持ち式糸撚り器において、前記糸保持軸の係止片は、軸部と一体に設けられていて、その軸部との間に形成される楔状の隙間に糸の一端を係止することにより当該糸を固定可能に設けられていることを特徴とするものである。
【０００９】
同様の目的を達成するために請求項３に記載した発明は、請求項１又は２に記載の手持ち式糸撚り器において、前記ホイールは、ホイール本体にゴム製タイヤが装着されていることを特徴とするものである。
【発明の効果】
【００１０】
（請求項１の発明）
この手持ち式糸撚り器は、テーブル等の上でホイールを一方向（前進方向）へ転動させることにより糸保持軸を自転させて１本の糸に夫々撚りをかけ、ホイールを反対の方向（後退方向）へ転動させることによって糸保持軸を公転させて複数本の糸を１本の糸に撚り合わせる簡素な構造であり、撚り糸をつくる過程に興味を惹起するような遊び的な要素を備えている。
【００１１】
（請求項２の発明）
この手持ち式糸撚り器は、糸保持軸の係止片に糸の一端を巻きつけてから楔状の隙間に係止することにより当該糸を固定可能に設けており、糸の固定や取り外しが行ない易い。
【００１２】
（請求項３の発明）
この手持ち式糸撚り器は、ホイール本体にゴム製タイヤを装着しているので、ホイールをテーブル等の上で転動させるときに滑りにくく回転が安定する。
【発明を実施するための最良の形態】
【００１３】
以下に、本発明の最良の形態例を図面に基づいて説明する。図１は本発明に係る手持ち式糸撚り器の斜視図、図２は同、要部の縦断側面図、図３は同、分解斜視図、図４は爪車と駆動歯車部材の斜視図、図５は図２のＢ−Ｂ線断面図、図６は駆動歯車部材の内歯車に糸保持軸の小歯車が噛合した状態を示す斜視図、図７は糸の他端を保持する保持片の斜視図である。
【００１４】
図１に示す本発明に係る手持ち式糸撚り器Ａの概要については、テーブル等の上でホイール２２を一方向（前進方向）へ転動させることにより各糸保持軸４１を自転させて夫々固定された１本の糸に撚りをかけ、ついで、ホイール２２を反対の方向（後退方向）へ転動させることによって糸保持軸４１を公転させて複数本、この実施形態では３本の糸を１本の糸に撚り合わせる構造とされている。
【００１５】
手持ち式糸撚り器Ａのプラスチック製ホルダー１は、図２に示すように、中心に段付穴が形成された軸受け部２の側部２ａに一文字形のハンドル３を一体に設けている。その軸受け部２の一端側に一体状に形成されたフランジ２ｂの内面には、鉤形状の爪８を装着するピン５と同爪８の基部に一端が固着された薄板状のバネ片９の他端を係止する係止ピン６とが突設されている（図３）。１１はホルダー１の段付穴の大径穴４ｂに嵌着されたブッシュである。
【００１６】
１３は円盤部１３ａの正面に内歯車１４を設け、その円盤部１３ａの裏面中心に駆動軸１５を突設したプラスチック製の駆動歯車部材である。また、円盤部１３ａの裏面には、鉤形状の爪１９を装着するピン１６と同爪１９の基部に一端が固着された薄板状のバネ片２０の他端を係止する係止ピン１７とが突設されている（図４）。図２に示すように、駆動軸１５は、ホルダー１の段付穴の小径部分である軸穴４ａに遊嵌されて回転自由に設けられ、その先端部１５ａにホイール２２のホイール本体２３の中心に設けたボス穴２３ｂが嵌合されてボルト２６により両者を締め付け固定している。ボス２３ａは前記ブッシュ１１内に回転自由に遊嵌されている。２４はホイール本体２２に装着されたゴム製タイヤである。
【００１７】
２８は中心に形成された軸穴２９を中心として表側２８ａと裏側２８ｂの両側に爪歯車３０，３１が夫々設けられたプラスチック製の爪車である（図３、図４）。この爪車２８は、爪歯車３０を前記爪８に、爪歯車３１を前記爪１９に夫々係合させた状態で前記駆動軸１５の大径の基部１５ａに回転可能に設けられている。
【００１８】
しかして、ホルダー１に取り付けた爪８が表側２８ａの爪歯車３０に係合することにより爪車２８の一方向への回転を阻止すると共に駆動歯車部材１３の一方向の回転を許容するように設け（図４）、駆動歯車部材１３に取り付けた爪１９が裏側２８ｂの爪歯車３１に係合することにより駆動歯車部材１３と爪車２８とを前記一方向と反対の方向へ一緒に回転するように設けられる（図５）。
【００１９】
３５は爪車２８に被着するように固定された椀形状のケースである。このケース３５は、底部３５ａに３個の軸穴３６を等角度間隔に設け、外側部３５ｂに２個の取り付け穴３７を設けている（図３）。３９は取り付け穴３７に通してから爪車２８に螺着されたボルトである。
【００２０】
４１は糸の一端を固定可能な逆三角形状の係止片４３を半円形状の先端部４２ａに一体に設けると共に基部４２ｂに小歯車４５を備えた複数の、この実施形態例では３個の糸保持軸である（図３）。図６に示すように、その係止片４３は軸部４２と一体に設けられており、その軸部４２の平坦面４２ｃとの間に形成される楔状の隙間４４，４４に糸の一端を係止することにより当該糸を固定可能に設けられている。これら糸保持軸４１は、図２に示すように、ケース３５の軸穴３６に軸部４２を遊嵌して回転自由に支持されると共に各小歯車４５を前記内歯車１４に噛合するように設けられている。
【００２１】
以上により、テーブル等の上でホイール２２を一方向（前進方向）へ転動させることにより糸保持軸４１を自転させて１本の糸に夫々撚りをかけ、ホイール２２を一方向と反対方向（後退方向）へ転動させることによって糸保持軸４１を公転させて３本の糸を１本の糸に撚り合わせる本発明に係る手持ち式糸撚り器Ａが構成される。
【００２２】
手持ち式糸撚り器Ａの糸保持軸４１により固定される糸の他端は、図７に示す保持片５０により保持する。この保持片５０は、指通し穴５２が設けられた厚板部５１の一方の面に３個の逆三角形状の係止片５３が並設されている。それら係止片５３は、一方の面との間に形成される楔状の隙間５４，５４に糸の他端を係止することにより当該糸を固定可能に設けている。
【００２３】
つぎに、本発明に係る手持ち式糸撚り器Ａの使い方について説明する。
（１）まず、適当な長さの３本の毛糸を用意し、各々の毛糸の一端を糸保持軸４１の係止片４３に巻きつけて固定する。
（２）ついで、保持片５０の係止片５３に各毛糸の他端を長さが揃うように巻きつけて固定し、左手で保持片５０を掴む。
（３）毛糸を緩く張った状態において、右手に掴んだ手持ち式糸撚り器Ａのホイール２２をテーブル等の上で前進方向へ転動させる。これにより、糸保持軸４１が自転するので１本の糸に夫々撚りがかかる。
（４）ついで、ホイール２２を後退方向へ転動させる。これにより、糸保持軸４１が公転するので３本の糸が１本の糸に撚り合わせられる。
（５）つくられた撚り糸を糸保持軸４１及び保持片５０から外す。
【００２４】
以上に述べた通り、この手持ち式糸撚り器は、テーブル等の上でホイールを一方向へ転動させることにより糸保持軸を自転させて１本の糸に夫々撚りをかけ、ホイールを反対の方向へ転動させることによって糸保持軸を公転させて複数本の糸を１本の糸に撚り合わせることができ、撚り糸をつくる過程に遊び的な要素を有する。
【図面の簡単な説明】
【００２５】
【図１】本発明に係る手持ち式糸撚り器の斜視図
【図２】同、要部の縦断側面図
【図３】同、分解斜視図
【図４】爪車と駆動歯車部材の斜視図
【図５】図２のＢ−Ｂ線断面図
【図６】駆動歯車部材の内歯車に糸保持軸の小歯車が噛合した状態を示す斜視図
【図７】糸の他端を保持する保持片の斜視図
【符号の説明】
【００２６】
Ａ・・・本発明に係る手持ち式糸撚り器
１・・・ホルダー
３・・・ハンドル
８・・・爪
１３・・・駆動歯車部材
１４・・・内歯車
１５・・・駆動軸
１５ａ・・・基部
１９・・・爪
２２・・・ホイール
２８・・・爪車
３０，３１・・・爪歯車
３５・・・ケース
４１・・・糸保持軸
４２・・・軸部
４３・・・係止片
４５・・・小歯車
【図１】
0004805964.tif 000002
【図２】
0004805964.tif 000003
【図３】
0004805964.tif 000004
【図４】
0004805964.tif 000005
【図５】
0004805964.tif 000006
【図６】
0004805964.tif 000007
【図７】
0004805964.tif 000008